(57)【要約】【課題】ビルトインコンロの取替えを容易にするための調理用品取替え提案装置を提供する。【解決手段】ビルトインコンロのコンロとオーブンのセットにおいて、コンロのみを交換する場合には（Ｓ２０１でＹＥＳ）、既設のコンロとオーブンの組合せを特定するための情報（またはその型番）を入力する（Ｓ２０７）。交換可能なコンロをオーブンの型式を考慮して検索し（Ｓ２０９）、オーブンの型式を考慮して、オーブンとコンロを接続するのに必要となる部品などの検索を行なう（Ｓ２１１）。それらの検索結果が表示される（Ｓ２１３）。【選択図】        図４
2004293852.tif 000002
【特許請求の範囲】
【請求項１】
ビルトインコンロにおける既設の調理用品であるコンロおよびオーブンの少なくとも一方を取替えるときに提案を行なうための調理用品取替え提案装置であって、
前記コンロおよびオーブンの少なくとも一方の種類と、それと取替えることのできる調理用品の種類とを対応づけて複数記憶する記憶手段と、
ビルトインコンロにおける既設の調理用品であるコンロおよびオーブンの少なくとも一方の種類を特定するための情報を入力するための入力手段と、
前記入力手段に入力された情報に基づいて、そのコンロおよびオーブンの少なくとも一方と取替えることができる調理用品の種類を、前記記憶手段を検索することで抽出する抽出手段と、
前記抽出手段で抽出された情報をユーザに対して表示する表示手段とを備えた、調理用品取替え提案装置。
【請求項２】
前記入力手段は、既設のビルトインコンロにおけるコンロおよびオーブンの組合せを特定するための情報を入力し、
前記抽出手段は、前記コンロおよびオーブンの組合せを考慮して抽出を行なう、請求項１に記載の調理用品取替え提案装置。
【請求項３】
前記記憶手段は、取替えにおいてコンロとオーブンとの関係に基づいて必要となる部品の情報をさらに記憶し、
前記抽出手段は、前記記憶手段を検索することで、取替えにおいてコンロとオーブンとの関係に基づいて必要となる部品の情報を抽出し、
前記表示手段は、前記抽出された、取替えにおいてコンロとオーブンとの関係に基づいて必要となる部品の情報をユーザに対して表示する、請求項１または２に記載の調理用品取替え提案装置。
【請求項４】
前記記憶手段はサーバにより構成され、
前記入力手段および前記表示手段は、前記サーバに通信回線を介して接続される、請求項１〜３のいずれかに記載の調理用品取替え提案装置。
【請求項５】
ビルトインコンロにおける既設の調理用品であるコンロおよびオーブンの少なくとも一方を取替えるときに提案を行なうための調理用品取替え提案プログラムであって、
前記コンロおよびオーブンの少なくとも一方の種類と、それと取替えることのできる調理用品の種類とを対応づけて複数記憶する記憶手段を用いて提案を行ない、
ビルトインコンロにおける既設の調理用品であるコンロおよびオーブンの少なくとも一方の種類を特定するための情報を入力するための入力ステップと、
前記入力ステップで入力された情報に基づいて、そのコンロおよびオーブンの少なくとも一方と取替えることができる調理用品の種類を、前記記憶手段を検索することで抽出する抽出ステップと、
前記抽出ステップで抽出された情報をユーザに対して表示する表示ステップとをコンピュータに実行させる、調理用品取替え提案プログラム。
【発明の詳細な説明】
【０００１】
【発明の属する技術分野】
この発明は、調理用品取替え提案装置およびプログラムに関し、特にビルトインコンロにおけるコンロやオーブンの取替え時に、コンロとオーブンとの関係を考慮して提案を行なうことができる調理用品取替え提案装置およびプログラムに関する。
【０００２】
【従来の技術】
図１６は、システムキッチンや流し台キッチンにおけるビルトインコンロの内部構成を示す断面図である。図において、左側がユーザにより操作されるボタンやつまみなどの部材が設けられた部分（正面部分）を示している。
【０００３】
ビルトインコンロは、下部に位置するオーブン５０３と、上部に位置するコンロ５０１とで構成される。コンロ５０１とオーブン５０３とを接続するための部材（例えばガス管など）５０９や、オーブン排気筒５０７が用いられることにより、コンロ５０１とオーブン５０３との接続が行なわれ、オーブンからの排気やガスの供給などが行なわれる。
【０００４】
また、ビルトインコンロを構成する部材として、コンロ５０１とオーブン５０３との間のギャップを埋める飾り板（フィラー）５０５や、オーブン排気筒とオーブン排気口とをつなぐ中間排気筒５１１などの部品が設けられるケースもある。
【０００５】
【発明が解決しようとする課題】
このようなビルトインコンロにおいて、コンロ５０１やオーブン５０３の取替えが必要となる場合がある。しかしながら、コンロ５０１とオーブン５０３との接続部材５０９の形状や、オーブン排気筒５０７の位置、さらには飾り板５０５その他の部品の有無などにより、取替えができる機種には制限があり、容易に取替えることができないという問題があった。
【０００６】
この発明は上記問題点を解決するためになされたものであり、調理用品の取替えを容易にするための調理用品取替え提案装置およびプログラムを提供することを目的としている。
【０００７】
【課題を解決するための手段】
上記目的を達成するため、この発明のある局面に従うと、調理用品取替え提案装置は、ビルトインコンロにおける既設の調理用品であるコンロおよびオーブンの少なくとも一方を取替えるときに提案を行なうための調理用品取替え提案装置であって、コンロおよびオーブンの少なくとも一方の種類と、それと取替えることのできる調理用品の種類とを対応づけて複数記憶する記憶手段と、ビルトインコンロにおける既設の調理用品であるコンロおよびオーブンの少なくとも一方の種類を特定するための情報を入力するための入力手段と、入力手段に入力された情報に基づいて、そのコンロおよびオーブンの少なくとも一方と取替えることができる調理用品の種類を、記憶手段を検索することで抽出する抽出手段と、抽出手段で抽出された情報をユーザに対して表示する表示手段とを備える。
【０００８】
この発明に従うと、コンロおよびオーブンの少なくとも一方の種類と、それと取替えることのできる調理用品の種類とが対応づけて複数記憶され、入力された情報に基づいて記憶手段の検索が行なわれ、検索結果が表示される。これにより、調理用品の取替えを容易にすることができる調理用品取替え提案装置を提供することが可能となる。
【０００９】
好ましくは入力手段は、既設のビルトインコンロにおけるコンロおよびオーブンの組合せを特定するための情報を入力し、抽出手段は、コンロおよびオーブンの組合せを考慮して抽出を行なう。
【００１０】
このように、ビルトインコンロにおけるコンロおよびオーブンの組合せを考慮して抽出を行なうことで、ビルトインコンロにおけるオーブン排気筒や接続部材のマッチングといった特殊な状況を考慮して抽出を行なうことができる調理用品取替え提案装置を提供することが可能となる。
【００１１】
好ましくは記憶手段は、取替えにおいてコンロとオーブンとの関係に基づいて必要となる部品の情報をさらに記憶し、抽出手段は、記憶手段を検索することで、取替えにおいてコンロとオーブンとの関係に基づいて必要となる部品の情報を抽出し、表示手段は、抽出された、取替えにおいてコンロとオーブンとの関係に基づいて必要となる部品の情報をユーザに対して表示する。
【００１２】
このように取替えにおいてコンロとオーブンとの関係に基づいて必要となる部品の情報を表示することで、より容易に調理用品の取替えの提案を行なうことができる装置を提供することが可能となる。
【００１３】
好ましくは記憶手段はサーバにより構成され、入力手段および表示手段は、サーバに通信回線を介して接続される。
【００１４】
このようにサーバと通信回線とを用いて装置を構成することで、記憶手段内のデータの更新などが容易になるという効果がある。
【００１５】
この発明の他の局面に従うと調理用品取替え提案プログラムは、ビルトインコンロにおける既設の調理用品であるコンロおよびオーブンの少なくとも一方を取替えるときに提案を行なうための調理用品取替え提案プログラムであって、コンロおよびオーブンの少なくとも一方の種類と、それと取替えることのできる調理用品の種類とを対応づけて複数記憶する記憶手段を用いて提案を行ない、ビルトインコンロにおける既設の調理用品であるコンロおよびオーブンの少なくとも一方の種類を特定するための情報を入力するための入力ステップと、入力ステップで入力された情報に基づいて、そのコンロおよびオーブンの少なくとも一方と取替えることができる調理用品の種類を、記憶手段を検索することで抽出する抽出ステップと、抽出ステップで抽出された情報をユーザに対して表示する表示ステップとをコンピュータに実行させる。
【００１６】
この発明によると、調理用品の取替えを容易に行なうことができる調理用品取替え提案プログラムを提供することが可能となる。
【００１７】
【発明の実施の形態】
以下、本発明の好ましい実施の形態について図面を参照しながら説明する。
【００１８】
図１は、本発明の実施の形態の１つにおける調理用品取替え提案システムの構成を示す図である。図を参照してシステムは、ビルトインコンロにおける既設のコンロやオーブンの種類と、そのコンロやオーブンと取替えることのできるコンロやオーブンの種類や、取替え時に必要となる部品の情報などを、コンロとオーブンとのマッチングや部品の有無を考慮して対応づけて記憶しているサーバ１００と、サーバ１００とインターネット、電話回線、専用回線、ＬＡＮなどの通信回線Ｉにより接続される、パーソナルコンピュータ（ＰＣ）２００ａ〜２００ｎとから構成される。
【００１９】
一般にサーバ１００は当該システムを利用する企業の本社に置かれ、ＰＣ２００ａ〜２００ｎは支社（または販売店など）に設置される。
【００２０】
ＰＣ２００ａ〜２００ｎのいずれかにおいて、ビルトインコンロにおける既設のコンロやオーブンの種類を特定するための情報を入力すると、その情報は通信回線Ｉを介してサーバ１００に送られる。サーバでは取替え可能なコンロやオーブンの情報の検索が行なわれ、検索結果は通信回線Ｉを介してＰＣ２００ａ〜２００ｎのいずれかに送られ、そこで表示される。
【００２１】
図２は、サーバ１００またはＰＣ２００ａ〜２００ｎの１台のハードウェア構成を示すブロック図である。
【００２２】
図を参照して、サーバ１００またはＰＣ２００ａ〜２００ｎの１台は、装置全体の制御を行なうＣＰＵ３０１と、ＣＤ−ＲＯＭドライブやフレキシブルディスクドライブなどにより構成される外部記憶装置３０３と、ＲＯＭやＲＡＭなどにより構成されるメモリ３０５と、大容量の記憶装置であるハードディスクドライブ３０７と、外部通信回線と接続するための外部インターフェイス３０９と、情報を表示するためのディスプレイ３１１と、キーボードやマウスなどにより構成される入力装置３１３とから構成される。
【００２３】
ＰＣ２００ａ〜２００ｎのいずれかのディスプレイ３１１では、（１）既設型番指定画面、（２）提案製品一覧画面、（３）提案機種詳細画面、および（４）部材情報画面などが表示される。以下、それぞれの画面について説明する。
【００２４】
（１）  既設型番指定画面
これは、ビルトインコンロにおいて現在設置されている製品（調理用品）の型番を入力するための画面である。本システムにおいては、コンロ単体を交換する場合、ビルトインコンロセット中のコンロのみを交換する場合、セット中のオーブンのみを交換する場合、およびセットすべてを交換する場合の４つの状況に対応できるようにしている。
【００２５】
コンロとオーブンのセットのうちのいずれかのみを交換する場合には、図１６に示したように、オーブン排気筒やコンロとオーブンとの接続部材や部品の存在の有無などにより交換に制約が出るため、現在使用中のコンロとオーブンとの両者の情報を入力し、マッチングする製品を検索することとしている。
【００２６】
（２）  提案製品一覧画面
これは、既設型番指定画面において指定された既設の製品の型番から、取替え可能な製品（提案製品）を検索し、その提案製品を一覧表示するための画面である。
【００２７】
この画面において表示する情報として、たとえば、コンロの取替えの提案を行なう場合には、型番、タイプ、トッププレートの幅、グリル、予備ガス栓、色などが挙げられ、オーブンの取替えの提案を行なう場合には、型番、レンジタイプ、庫内サイズ、予備ガス栓、色などが挙げられる。
【００２８】
（３）  提案機種詳細画面
提案製品一覧画面から１つの製品が指定された場合に、この画面が表示され、提案する商品および既設製品の写真や仕様、取替えに必要な別売り部品の情報や取替えにおける技術情報などを表示する。
【００２９】
（４）  部材情報画面
提案機種詳細画面において、別売り部品の情報の詳細表示の指示がなされた場合には、当画面が別ウインドウとして表示され、別売り部品のイラストまたは写真や概略の仕様などが表示される。
【００３０】
以下に、フローチャートを参照して当該システムにおいて行なわれる処理について説明する。なお、当該処理はサーバ１００やＰＣ２００ａ〜２００ｎのＣＰＵ３０１が処理主体となり、メモリ３０５やハードディスクドライブ３０７に対する情報の読出しや書込みを行ない、外部Ｉ／Ｆ３０９を介して通信回線Ｉを用いた通信を行なうことで実現される。
【００３１】
図３〜図６は、本システムにおいて行なわれる処理を説明するためのフローチャートであり、図７はビルトインコンロのセット型番が入力されたときに、それに対応するコンロ、およびオーブンの型番を判断する処理を示すフローチャートである。
【００３２】
また、図８および図９は、主としてサーバ１００のハードディスクドライブ３０７に記憶される情報を示す図であり、図１０〜図１５はＰＣ２００ａ〜２００ｎのいずれかのディスプレイ３１１に表示される画面を示す図である。
【００３３】
まず、図３〜図６を参照して、ステップＳ１０１においてＰＣ２００ａ〜２００ｎのいずれかがサーバ１００にアクセスすることで、ＰＣ２００ａ〜２００ｎのディスプレイ３１１に交換タイプ選択画面（図１０）が表示される。この画面においては、ＰＣ２００ａ〜２００ｎのオペレータはビルトインコンロの取替えの条件として、コンロ単体を交換するか、ビルトインコンロのセット中のコンロのみを交換するか、セット中のオーブンのみを交換するか、セットすべてを交換するかを選択する。
【００３４】
図３のステップＳ１０３において、オペレータがＰＣ２００ａ〜２００ｎの入力装置３１３を用いて交換タイプの入力を行なう。
【００３５】
ステップＳ１０５において入力されたタイプがコンロ単体の交換であれば、ステップＳ１０７において、既設コンロのメーカを選択するメーカ選択画面（図１１）が表示される。
【００３６】
この画面においては、既設機種のメーカ名をオペレータは指定するか、または直接入力する。これにより、システムにおいては既設のコンロの型番を絞り込むことができる。
【００３７】
図３のステップＳ１０９においてメーカの入力が行なわれると、次に図１２に示される既設型番指定画面が表示され、オペレータは既設のコンロの型番の入力を行なう。この画面においては、直接オペレータが型番を入力することもできるし、プルダウンメニューなどを用いて、入力されたメーカ名に対応する型番の中から選択を行なわせるようにしてもよい。
【００３８】
ステップＳ１１３において、サーバ１００に記憶された情報をもとにメーカと型番とから交換可能な機種の検索が行なわれ、ステップＳ１１５において必要な別売り部品などの検索が行なわれる。
【００３９】
ステップＳ１１３およびＳ１１５で用いられる情報は、図８に示される、既設のコンロのメーカ名および型番に対して、交換可能な商品の型番、部品データ、備考などが対応付けられて複数記載されたデータベースである。
【００４０】
ステップＳ１１７において検索結果の表示が行なわれる。ここでは、まず図１３に示されるような提案製品の一覧を示す提案製品一覧画面が表示され、ステップＳ１１９でオペレータにより提案製品一覧画面中の１つの機種の詳細を表示する旨の指示があったのであれば、ステップＳ１２１において図１４に示される提案機種詳細画面が表示される。これにより、オペレータは製品の詳細や別売り部品の必要性の有無などを知ることができる。
【００４１】
また図１４において、別売り部品の詳細の表示をオペレータが指示したのであれば、図示しない部材情報画面が表示され、別売り部品の詳細（仕様や画像など）が表示される。
【００４２】
図３のステップＳ１０５でＮＯであれば、図４のステップＳ２０１において、交換タイプ入力の結果が、セット中のコンロを交換する旨の指示であるかが判定される。ＹＥＳであれば、ステップＳ２０３においてメーカ選択画面（図１１）が表示され、ステップＳ２０５でメーカの入力が行なわれる。
【００４３】
ステップＳ２０７で、ビルトインコンロにおけるコンロとオーブンのそれぞれの型番の入力（またはセット型番の入力）が行なわれる。すなわち、セット中のコンロまたはオーブンのみを取替える場合であっても、オーブン排気筒の位置や接続部材の形状、または飾り板などの部品の有無の制約を受けるため、コンロの型番とオーブンの型番との双方を特定できる情報を入力するものである。
【００４４】
具体的には、図４のステップＳ２０７においては図１５に示されるような画面が表示され、オペレータに対しコンロの型番とオーブンの型番との双方の入力を促す。また、コンロとオーブンとのセットの型番が用意されている場合には、そのセット型番を入力させたり、選択されたメーカから絞り込まれるセット型番のリストからユーザに選択を促すことも可能である。
【００４５】
セット型番が入力（または指定）された場合には、図７に示されるフローチャートによりそのセット型番から対応するコンロの型番とオーブンの型番とを判断する処理が行なわれる。
【００４６】
すなわち、図７のステップＳ５０１においてセット型番の入力が行なわれたのであれば、データベースの検索が行なわれ、ステップＳ５０３で対応するコンロの型番とオーブンの型番とが判断され、以下の処理に用いられる。
【００４７】
図４に戻って、ステップＳ２０９でコンロ型番とオーブン型番との組合せに基づいて交換可能な機種の検索が行なわれる。この場合、検索されるデータベースは図９に示されるような構成をとっている。
【００４８】
図９を参照して、データベースにはメーカ名と、そのメーカが製造したコンロの型番およびオーブンの型番の情報と、そのコンロとオーブンの組合せに対応する交換可能なコンロと、対応部品のデータと、その他の情報（備考）と、そのコンロとオーブンの組合せに対応する交換可能なオーブンと、対応部品のデータと、その他の情報（備考）とが対応づけて記憶されている。
【００４９】
これにより、コンロの型番とオーブンの型番とによりセットが特定されれば、それに対応する交換可能なコンロや交換可能なオーブンが対応部品のデータなどとともに検索されるのである。
【００５０】
図４のステップＳ２１１において別売り部品などの検索が行なわれ、ステップＳ２１３で交換可能なコンロの表示が行なわれる。ステップＳ２１３で行なわれる表示に基づいて詳細表示の指示が出されたのであれば（Ｓ２１５）、ステップＳ２１７で図３のステップＳ１２１と同様に詳細の表示が行なわれる。
【００５１】
図４のステップＳ２０１でＮＯであれば、図５のステップＳ３０１において、交換タイプ選択画面での入力がセット中のオーブンを交換するものであるかの判定が行なわれる。ＹＥＳであれば、ステップＳ３０３〜Ｓ３１７の処理が行なわれる。これらの処理は、図４におけるステップＳ２０３〜Ｓ２１７での処理と実質的に同じであるためここでの説明は繰返さない。ここでは、ステップＳ３０９において交換可能なオーブンの検索が行なわれ、ステップＳ３１３でその表示が行なわれる。
【００５２】
図５のステップＳ３０１でＮＯであれば、図６のステップＳ４０１において交換タイプ選択画面での入力がセット交換の指示であったかが判定される。ＮＯであれば、ステップＳ４１５でその他の処理を行なうが、ＹＥＳであればステップＳ４０３で、交換可能なセットの特徴（たとえばサイズ、材質、機能、色など）の表示が行なわれ、ステップＳ４０５でオペレータから所望の特徴の入力を受付ける。ステップＳ４０７で、入力された特徴に基づいて機種の検索が行なわれ、ステップＳ４０９で特徴に基づいた機種の表示が行なわれる。ステップＳ４１１で詳細表示が指定されたのであれば、ステップＳ４１３でそれを行なう。
【００５３】
なお、図１５の画面において、既設のコンロの型番と既設のオーブンの型番との組合せを入力することとしたが、このときコンロ型番とオーブン型番とがマッチしない（セットとして組合わせることができない）場合には、警告を出すようにしてもよい。
【００５４】
また、コンロの型番またはオーブンの型番の一方のみが入力された場合には、そのコンロ（またはオーブン）にマッチするオーブン（またはコンロ）の検索を行ない、一覧表示を行ない、ユーザに指定させるようにしてもよい。
【００５５】
また、上述の実施の形態においてはデータテーブルとして図８および９に示されるものを用い、コンロやオーブンなどの既設製品に対して交換可能な商品をダイレクトにデータとして保持するようにしたが、以下のようにデータテーブルを構成してもよい。
【００５６】
すなわち、製品ごとに、排気筒の位置、ガス配管の位置、サイズなどマッチングを行なうためのデータを記録し、既設製品が入力されたのであれば、その製品に対応するマッチングを行なうためのデータを読出し、読出されたデータに適合する他の商品を選択し、交換可能商品とするのである。すなわち、既存の製品（コンロとオーブンの組合せなど）を考慮して、排気筒の位置、ガス配管の位置、サイズなどがすべてマッチングするものを交換可能な製品として提案するものである。
【００５７】
なお、ここにいう排気筒の位置やガス配管の位置は、基準点からの位置（座標など）を記録することとしてもよいが、たとえばタイプＡ、タイプＢなどのようにタイプ分けをすることで特定してもよい。
【００５８】
なお、上述の実施の形態におけるフローチャートの処理を実行するプログラムは、サーバやＰＣ内にインストールした状態で提供することもできるし、別途ＣＤ−ＲＯＭ、フレキシブルディスク、ＲＯＭ、ＲＡＭ、メモリカードなどの記録媒体に記録してユーザに提供することもできる。また、プログラムはインターネットなどの通信回線を介して装置にダウンロードするようにしてもよい。
【００５９】
また、上述の実施の形態に限らず、本発明はネットワーク環境に接続されたシステムにおいても、ネットワーク環境に接続されていないシステムにも適用することができる。
【００６０】
なお、上述の実施の形態においてはＰＣにおいて情報を表示させることとしたが、ＰＤＡなどの端末をＰＣの代わりに用いるようにしてもよい。
【００６１】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【００６２】
【発明の効果】
以上のように本発明によると、調理用品の取替え時に適切な提案を容易に行なうことができる調理用品取替え提案装置やプログラムを提供することが可能となる。
【図面の簡単な説明】
【図１】本発明の実施の形態の１つにおける調理用品取替え提案システムの構成を示す図である。
【図２】図１のサーバ１００またはＰＣ２００ａ〜２００ｎの１つの構成を示すブロック図である。
【図３】調理用品取替え提案システムで行なわれる処理を示すフローチャートである。
【図４】図３に続くフローチャートである。
【図５】図４に続くフローチャートである。
【図６】図５に続くフローチャートである。
【図７】セット型番からコンロとオーブンの組合せを判定する処理を示すフローチャートである。
【図８】サーバ１００に格納されるデータの具体例を示す第１の図である。
【図９】サーバ１００に格納されるデータの具体例を示す第２の図である。
【図１０】交換タイプ選択画面を示す図である。
【図１１】メーカ選択画面を示す図である。
【図１２】既設型番指定画面を示す図である。
【図１３】提案製品一覧画面を示す図である。
【図１４】提案機種詳細画面を示す図である。
【図１５】既設型番指定画面を示す図である。
【図１６】コンロとオーブンとからなるビルトインコンロの構成を示す図である。
【符号の説明】
１００  サーバ、２００ａ〜２００ｎ  パーソナルコンピュータ、３１０  ＣＰＵ、３１１  ディスプレイ。
【図１】
2004293852.tif 000003
【図２】
2004293852.tif 000004
【図３】
2004293852.tif 000005
【図４】
2004293852.tif 000006
【図５】
2004293852.tif 000007
【図６】
2004293852.tif 000008
【図７】
2004293852.tif 000009
【図８】
2004293852.tif 000010
【図９】
2004293852.tif 000011
【図１０】
2004293852.tif 000012
【図１１】
2004293852.tif 000013
【図１２】
2004293852.tif 000014
【図１３】
2004293852.tif 000015
【図１４】
2004293852.tif 000016
【図１５】
2004293852.tif 000017
【図１６】
2004293852.tif 000018